(57)【特許請求の範囲】
【請求項１】
フォトクロミック材料を含む材料より構成される表示画面と、前記表示画面を移動させる表示画面移動手段と、前記フォトクロミック材料を着色可能な光を照射して前記表示画面を着色させる第１の光源と、前記フォトクロミック材料を消色可能な光を照射して前記表示画面を消色させる第２の光源と、前記表示画面を加熱する加熱手段とを備え、前記第１の光源と加熱手段と第２の光源を前記表示画面に対向させてこの順に配置した表示装置であって、前記表示画面移動手段により表示画面を移動させることによって、前記第１の光源により前記表示画面を先行的に着色させ、前記表示画面を前記加熱手段により加熱した後、前記第２の光源により前記表示画面を選択的に消色させて、画像もしくは文字情報を前記表示画面に書き込み、かつ、前記表示画面移動手段により表示画面を移動させることによって、前記表示画面を前記加熱手段により加熱した後、前記第２の光源により前記表示画面を消色させて、前記表示画面に書き込まれた画像もしくは文字情報を消去するように構成したことを特徴とする表示装置。
【請求項２】
フォトクロミック材料を含む材料より構成される表示画面と、前記表示画面を移動させる表示画面移動手段と、前記フォトクロミック材料を着色可能な光を照射して前記表示画面を着色させる第１の光源と、前記フォトクロミック材料を消色可能な光を照射して前記表示画面を消色させる第２の光源と、前記表示画面を加熱する加熱手段とを備え、前記第１の光源と第２の光源を前記表示画面に対向させて配置し、前記加熱手段を、第２の光源に背反する側において前記表示画面に対向させて配置した表示装置であって、前記表示画面移動手段により表示画面を移動させることによって、前記第１の光源により前記表示画面を先行的に着色させ、前記表示画面を前記加熱手段により加熱すると同時に前記第２の光源により前記表示画面を選択的に消色させて、画像もしくは文字情報を前記表示画面に書き込み、かつ、前記表示画面移動手段により表示画面を移動させることによって、前記表示画面を前記加熱手段により加熱すると同時に前記第２の光源により前記表示画面を消色させて、前記表示画面に書き込まれた画像もしくは文字情報を消去するように構成したことを特徴とする表示装置。
【請求項３】
フォトクロミック材料を含む材料より構成される表示画面と、前記フォトクロミック材料を着色可能な光を照射して前記表示画面を着色させる第１の光源と、前記第１の光源を移動させる第１光源移動手段と、前記フォトクロミック材料を消色可能な光を照射して前記表示画面を消色させる第２の光源と、前記第２の光源を移動させる第２光源移動手段と、前記表示画面を加熱する加熱手段と、前記加熱手段を移動させる加熱手段移動手段とを備え、前記第１の光源と加熱手段と第２の光源を前記表示画面に対向させてこの順に配置した表示装置であって、前記第１光源移動手段により第１の光源を移動させて第１の光源により前記表示画面を先行的に着色させ、前記加熱手段移動手段により加熱手段を移動させて前記表示画面を加熱手段により加熱した後、前記第２光源移動手段により第２の光源を移動させて第２の光源により前記表示画面を選択的に消色させることによって、画像もしくは文字情報を前記表示画面に書き込み、かつ、前記加熱手段移動手段により加熱手段を移動させて前記表示画面を加熱手段により加熱した後、前記第２光源移動手段により第２の光源を移動させて第２の光源により前記表示画面を消色させることによって、前記表示画面に書き込まれた画像もしくは文字情報を消去するように構成したことを特徴とする表示装置。
【請求項４】
フォトクロミック材料を含む材料より構成される表示画面と、前記フォトクロミック材料を着色可能な光を照射して前記表示画面を着色させる第１の光源と、前記第１の光源を移動させる第１光源移動手段と、前記フォトクロミック材料を消色可能な光を照射して前記表示画面を消色させる第２の光源と、前記第２の光源を移動させる第２光源移動手段と、前記表示画面を加熱する加熱手段と、前記加熱手段を移動させる加熱手段移動手段とを備え、前記第１の光源と第２の光源を前記表示画面に対向させて配置するとともに、前記加熱手段を、第２の光源に背反する側において前記表示画面に対向させて配置した表示装置であって、前記第１光源移動手段により第１の光源を移動させて前記第１の光源により前記表示画面を先行的に着色させ、前記加熱手段移動手段により加熱手段を移動させるとともに前記第２光源移動手段により第２の光源を移動させて、前記表示画面を前記加熱手段により加熱すると同時に前記第２の光源により前記表示画面を選択的に消色させることによって、画像もしくは文字情報を前記表示画面に書き込み、かつ、前記加熱手段移動手段により加熱手段を移動させるとともに前記第２光源移動手段により第２の光源を移動させて、前記表示画面を前記加熱手段により加熱すると同時に前記第２の光源により前記表示画面を消色させることによって、前記表示画面に書き込まれた画像もしくは文字情報を消去するように構成したことを特徴とする表示装置。
【請求項５】
フォトクロミック材料が下記一般式〔Ｉ〕
【化１】
0003599439.tif 000020
（一般式〔Ｉ〕において、Ａは下記の置換基〔ｉ〕を表し、Ｂは下記の置換基〔ｉ〕または〔ｉｉ〕または〔ｉｉｉ〕を表す。
【化２】
0003599439.tif 000021
【化３】
0003599439.tif 000022
【化４】
0003599439.tif 000023
（置換基〔ｉ〕，〔ｉｉ〕，〔ｉｉｉ〕において、Ｒ１  ，Ｒ８  ，Ｒ１３はそれぞれ、アルキル基、アルコキシ基、ハロゲン原子、シアノ基、またはトリフルオロメチル基を表し、Ｒ２  〜Ｒ７  ，Ｒ９  〜Ｒ１２，Ｒ１４〜Ｒ１７はそれぞれ、水素原子、ハロゲン原子、ヒドロキシル基、シアノ基、ニトロ基、アシル基、置換されていてもよいアルキル基、置換されていてもよいアルコキシ基、置換されていてもよいアリール基、または置換されていてもよいシクロアルキル基を表し、Ｒ１８は水素原子、または置換されていてもよいアルキル基を表す。また、Ｒ２  〜Ｒ７  ，Ｒ９  〜Ｒ１２，Ｒ１４〜Ｒ１７はそれぞれ環を形成してもよい。））
で示されるジアリールエテン系化合物である請求項１から請求項４のいずれかの項に記載の表示装置。
【請求項６】
第２の光源により消色される部分の表示画面の温度が５０℃以上に保持される請求項１から請求項４のいずれかの項に記載の表示装置。
【発明の詳細な説明】
【０００１】
【発明の属する技術分野】
本発明は、光によるフォトクロミック材料の着色、消色を利用して画像もしくは文字情報の表示を行う表示装置に関するものである。
【０００２】
【従来の技術】
従来より、文字や図形を書くボード類として、チョークを用いる黒板や、水性ペンを用いるホワイトボードや、ホワイトボード上に記録された文字や図形をプリントアウトする機能を有する電子黒板が広く使用されている。しかしながら、チョークを用いる黒板では、手が汚れたりチョーク粉が飛散するといった問題があり、また、ホワイトボードや電子黒板では、このような問題は解消できるものの、水性ペンやイレーサーは消耗品であるため、頻繁に取り替える必要があるといった問題があった。
【０００３】
このような従来のボード類の問題点を解決するものとして、光によるフォトクロミック材料の着色、消色を利用した繰り返し書き換え可能なボード類が、たとえば特開平３−２６１９４３号公報に提案されている。しかしながら、このようなボード類においては、文字や図形の記録は全て手書きにより行わねばならず、印刷された原稿やパソコン上のデータを取り込んで表示することはできなかった。
【０００４】
そこで、本発明者らは先に、印刷された原稿やパソコン上のデータを取り込み表示できる表示装置として、スキャナーなどの読み取り装置もしくはパソコンなどの情報入力装置を接続してそれらの装置から入力された画像もしくは文字情報を表示画面上に表示できる機能を有したものを特許出願した。
【０００５】
この表示装置は、フォトクロミック材料を用いた表示画面に対向して、フォトクロミック材料を着色可能な分光特性を有するライン状の第１の光源と、フォトクロミック材料を消色可能な分光特性を有するドット状発光部からなるライン状の第２の光源とを配置するとともに、スキャナー、パソコンなどの画像もしくは文字情報入力装置とのインターフェイス部を有しており、以下のようにして画像もしくは文字情報を表示画面に表示する。
【０００６】
すなわち、インターフェイス部を通じて、スキャナー、パソコンなどの情報入力装置から画像もしくは文字情報のデータを取り込み、続いて、第１の光源により表示画面上を走査して表示画面を着色させる。その後、取り込んだ画像もしくは文字情報のデータに基づき、第２の光源のドット状発光部の点灯、非点灯を一定距離間隔毎に制御する状態において、第２の光源により表示画面上を走査して、第１の光源により着色された表示画面の、表示すべき画像もしくは文字情報に対応する部分以外を選択的に消色させ、それにより、画像もしくは文字情報を表示画面上に表示する。
【０００７】
【発明が解決しようとする課題】
上記したような表示装置においては、着色状態にあるフォトクロミック材料が室内照明光により退色して画像もしくは文字情報が短時間のうちに消失してしまうのを防ぐために、消色しにくいフォトクロミック材料、すなわち消色に要する光量が大きなフォトクロミック材料を用いることが望ましい。しかし、そのようなフォトクロミック材料は、書き込みおよび消去のための消色にも大きな光量が必要であり、画像もしくは文字情報の書き込み・消去に要する時間が長くなってしまうという問題があった。
【０００８】
本発明は、このような事情に鑑みなされたものであり、フォトクロミック材料を用いた表示装置において、画像もしくは文字情報の書き込み・消去を短時間で行えるようにすることを目的とする。
【０００９】
【課題を解決するための手段】
この目的を達成するために、本発明は、フォトクロミック材料を含む材料より構成される表示画面と、前記表示画面を移動させる表示画面移動手段と、前記フォトクロミック材料を着色可能な光を照射して前記表示画面を着色させる第１の光源と、前記フォトクロミック材料を消色可能な光を照射して前記表示画面を消色させる第２の光源と、前記表示画面を加熱する加熱手段とを備え、前記第１の光源と加熱手段と第２の光源を前記表示画面に対向させてこの順に配置した表示装置であって、前記表示画面移動手段により表示画面を移動させることによって、前記第１の光源により前記表示画面を先行的に着色させ、前記表示画面を前記加熱手段により加熱した後、前記第２の光源により前記表示画面を選択的に消色させて、画像もしくは文字情報を前記表示画面に書き込み、かつ、前記表示画面移動手段により表示画面を移動させることによって、前記表示画面を前記加熱手段により加熱した後、前記第２の光源により前記表示画面を消色させて、前記表示画面に書き込まれた画像もしくは文字情報を消去するように構成した表示装置を提供する。
【００１０】
また本発明は、フォトクロミック材料を含む材料より構成される表示画面と、前記表示画面を移動させる表示画面移動手段と、前記フォトクロミック材料を着色可能な光を照射して前記表示画面を着色させる第１の光源と、前記フォトクロミック材料を消色可能な光を照射して前記表示画面を消色させる第２の光源と、前記表示画面を加熱する加熱手段とを備え、前記第１の光源と第２の光源を前記表示画面に対向させて配置し、前記加熱手段を、第２の光源に背反する側において前記表示画面に対向させて配置した表示装置であって、前記表示画面移動手段により表示画面を移動させることによって、前記第１の光源により前記表示画面を先行的に着色させ、前記表示画面を前記加熱手段により加熱すると同時に前記第２の光源により前記表示画面を選択的に消色させて、画像もしくは文字情報を前記表示画面に書き込み、かつ、前記表示画面移動手段により表示画面を移動させることによって、前記表示画面を前記加熱手段により加熱すると同時に前記第２の光源により前記表示画面を消色させて、前記表示画面に書き込まれた画像もしくは文字情報を消去するように構成した表示装置を提供する。
【００１１】
また本発明は、フォトクロミック材料を含む材料より構成される表示画面と、前記フォトクロミック材料を着色可能な光を照射して前記表示画面を着色させる第１の光源と、前記第１の光源を移動させる第１光源移動手段と、前記フォトクロミック材料を消色可能な光を照射して前記表示画面を消色させる第２の光源と、前記第２の光源を移動させる第２光源移動手段と、前記表示画面を加熱する加熱手段と、前記加熱手段を移動させる加熱手段移動手段とを備え、前記第１の光源と加熱手段と第２の光源を前記表示画面に対向させてこの順に配置した表示装置であって、前記第１光源移動手段により第１の光源を移動させて第１の光源により前記表示画面を先行的に着色させ、前記加熱手段移動手段により加熱手段を移動させて前記表示画面を加熱手段により加熱した後、前記第２光源移動手段により第２の光源を移動させて第２の光源により前記表示画面を選択的に消色させることによって、画像もしくは文字情報を前記表示画面に書き込み、かつ、前記加熱手段移動手段により加熱手段を移動させて前記表示画面を加熱手段により加熱した後、前記第２光源移動手段により第２の光源を移動させて第２の光源により前記表示画面を消色させることによって、前記表示画面に書き込まれた画像もしくは文字情報を消去するように構成した表示装置を提供する。
【００１２】
また本発明は、フォトクロミック材料を含む材料より構成される表示画面と、前記フォトクロミック材料を着色可能な光を照射して前記表示画面を着色させる第１の光源と、前記第１の光源を移動させる第１光源移動手段と、前記フォトクロミック材料を消色可能な光を照射して前記表示画面を消色させる第２の光源と、前記第２の光源を移動させる第２光源移動手段と、前記表示画面を加熱する加熱手段と、前記加熱手段を移動させる加熱手段移動手段とを備え、前記第１の光源と第２の光源を前記表示画面に対向させて配置するとともに、前記加熱手段を、第２の光源に背反する側において前記表示画面に対向させて配置した表示装置であって、前記第１光源移動手段により第１の光源を移動させて前記第１の光源により前記表示画面を先行的に着色させ、前記加熱手段移動手段により加熱手段を移動させるとともに前記第２光源移動手段により第２の光源を移動させて、前記表示画面を前記加熱手段により加熱すると同時に前記第２の光源により前記表示画面を選択的に消色させることによって、画像もしくは文字情報を前記表示画面に書き込み、かつ、前記加熱手段移動手段により加熱手段を移動させるとともに前記第２光源移動手段により第２の光源を移動させて、前記表示画面を前記加熱手段により加熱すると同時に前記第２の光源により前記表示画面を消色させることによって、前記表示画面に書き込まれた画像もしくは文字情報を消去するように構成した表示装置を提供する。
【００１３】
ここで、フォトクロミック材料としては、下記一般式〔Ｉ〕
【００１４】
【化５】
0003599439.tif 000002
【００１５】
（一般式〔Ｉ〕において、Ａは下記の置換基〔ｉ〕を表し、Ｂは下記の置換基〔ｉ〕または〔ｉｉ〕または〔ｉｉｉ〕を表す。
【００１６】
【化６】
0003599439.tif 000003
【００１７】
【化７】
0003599439.tif 000004
【００１８】
【化８】
0003599439.tif 000005
【００１９】
（置換基〔ｉ〕，〔ｉｉ〕，〔ｉｉｉ〕において、Ｒ１  ，Ｒ８  ，Ｒ１３はそれぞれ、アルキル基、アルコキシ基、ハロゲン原子、シアノ基、またはトリフルオロメチル基を表し、Ｒ２  〜Ｒ７  ，Ｒ９  〜Ｒ１２，Ｒ１４〜Ｒ１７はそれぞれ、水素原子、ハロゲン原子、ヒドロキシル基、シアノ基、ニトロ基、アシル基、置換されていてもよいアルキル基、置換されていてもよいアルコキシ基、置換されていてもよいアリール基、または置換されていてもよいシクロアルキル基を表し、Ｒ１８は水素原子、または置換されていてもよいアルキル基を表す。また、Ｒ２  〜Ｒ７  ，Ｒ９  〜Ｒ１２，Ｒ１４〜Ｒ１７はそれぞれ環を形成してもよい。））
で示されるジアリールエテン系化合物が好ましい。
【００２０】
上記一般式〔Ｉ〕で示される化合物は、公知の種々の方法により合成することができるが、本発明におけるフォトクロミック材料はここに記載された化合物に限定されない。一般式〔Ｉ〕で示される化合物の具体例としては、次に示すものを挙げることができる。
【００２１】
【化９】
0003599439.tif 000006
【００２２】
【化１０】
0003599439.tif 000007
【００２３】
【化１１】
0003599439.tif 000008
【００２４】
【化１２】
0003599439.tif 000009
【００２５】
【化１３】
0003599439.tif 000010
【００２６】
【化１４】
0003599439.tif 000011
【００２７】
【化１５】
0003599439.tif 000012
【００２８】
【化１６】
0003599439.tif 000013
【００２９】
【化１７】
0003599439.tif 000014
【００３０】
また、第２の光源により消色される部分の表示画面の温度を５０℃以上に保持するのが好ましい。
【００３１】
上記したような構成によれば、着色された表示画面を昇温させた状態で、消色光を照射することによって、表示画面を消色させるのに必要な光量を低減することができ、画像もしくは文字情報の書き込みおよび消去時における消色光の照射時間を短縮できる。
【００３２】
【発明の実施の形態】
以下、本発明の実施の形態を図面により詳細に説明する。
図１は本発明の表示装置の基本的構成を示す。
【００３３】
ここで、１は表示装置、２はフォトクロミック材料を含む材料より構成される表示画面、３はキーパネル、４はインターフェイス部である。インターフェイス部４にはケーブル４ａ，４ｂを介してスキャナー５およびパソコン６が取り付けられている。キーパネル３には、スキャナー５もしくはパソコン６からのデータを取り込み、画像もしくは文字情報を表示画面２に表示する命令を入力するための書き込みキー（図示せず）と、表示画面２上に表示された画像もしくは文字情報を消去する命令を入力するための消去キー（図示せず）が設けられている。
【００３４】
表示画面２は、基板上に、光の作用により色が可逆的に変化するフォトクロミック材料を含有せしめたフィルム層を形成することにより作製されている。フォトクロミック材料の構造は限定されるものではないが、下記一般式〔Ｉ〕
【００３５】
【化１８】
0003599439.tif 000015
【００３６】
（一般式〔Ｉ〕において、Ａは下記の置換基〔ｉ〕を表し、Ｂは下記の置換基〔ｉ〕または〔ｉｉ〕または〔ｉｉｉ〕を表す。
【００３７】
【化１９】
0003599439.tif 000016
【００３８】
【化２０】
0003599439.tif 000017
【００３９】
【化２１】
0003599439.tif 000018
【００４０】
（置換基〔ｉ〕，〔ｉｉ〕，〔ｉｉｉ〕において、Ｒ１  ，Ｒ８  ，Ｒ１３はそれぞれ、アルキル基、アルコキシ基、ハロゲン原子、シアノ基、またはトリフルオロメチル基を表し、Ｒ２  〜Ｒ７  ，Ｒ９  〜Ｒ１２，Ｒ１４〜Ｒ１７はそれぞれ、水素原子、ハロゲン原子、ヒドロキシル基、シアノ基、ニトロ基、アシル基、置換されていてもよいアルキル基、置換されていてもよいアルコキシ基、置換されていてもよいアリール基、または置換されていてもよいシクロアルキル基を表し、Ｒ１８は水素原子、または置換されていてもよいアルキル基を表す。また、Ｒ２  〜Ｒ７  ，Ｒ９  〜Ｒ１２，Ｒ１４〜Ｒ１７はそれぞれ環を形成してもよい。））
で示されるジアリールエテン系化合物を用いると、熱安定性、繰り返し耐久性、消色光量の点で優れた特性が得られる。
【００４１】
基板としては、ＰＥＴなどのプラスチックや金属製のものを使用し、表示画面を構成した場合の表示の見やすさの点から、白色であることが好ましい。基板上へのフォトクロミック材料を含有せしめたフィルム層の形成は、公知の適宜方法で行うことができる。たとえば、フォトクロミック材料を溶剤、フィルムを形成するためのバインダーとともに混合した後、基板上に塗布し、溶剤を蒸発させることにより行う方法、また、あらかじめフォトクロミック材料をバインダー中に含有せしめたフィルムを作製し、前記基板と張り合わせる方法などがある。ここで、バインダーとしては、ポリスチレン樹脂、ポリカーボネート樹脂、ポリ塩化ビニル樹脂、ポリ酢酸ビニル樹脂、ポリエステル樹脂、ポリビニルブチラール樹脂、ポリメチルメタクリル酸樹脂、ポリスルホン樹脂などを用いることができる。また、溶剤としては、トルエン、アセトン、テトラヒドロフラン、メチルエチルケトン、ジオキサン、酢酸エチル、ジエチルエーテルなどを用いることができる。
【００４２】
以下、フォトクロミック材料として、上記一般式〔Ｉ〕で示されるジアリールエテン系化合物の内、１−（２，４−ジメチル−５−フェニルチオフェン−３−イル）−２−（２，４−ジメチル−５−（４−メトキシフェニル）チオフェン−３−イル）−３，３，４，４，５，５−ヘキサフルオロシクロペンテンを用いた表示画面の作製方法を具体的に説明する。このフォトクロミック化合物は、下式に示すように、紫外光を照射すると閉環して着色状態（青紫色）に変化し、着色状態のものに可視光を照射すると開環して元の無色状態にもどるので、着色、消色反応を繰り返し行うのに有用である。
【００４３】
【化２２】
0003599439.tif 000019
【００４４】
表示画面を作製するには、上記フォトクロミック化合物とバインダーであるポリスチレンとを共通溶媒であるトルエンに溶解して混合溶液を調製し、この混合溶液を白色のＰＥＴ製基板上にワイヤーバー、アプリケーターなどを用いて公知の方法で塗布し、その後で溶媒を除去することにより、フォトクロミック化合物が分散したポリスチレンのフィルム層を基板上に形成させる。
【００４５】
このとき、良好な成膜性を得るために、混合溶液中のバインダー量を、溶媒量に対して５〜３０重量パーセント程度とすることが望ましい。また、上記トルエンのように揮発性の高い溶媒の場合は自然乾燥により除去することもできるが、素早く溶媒を除去するためにドライヤーもしくは乾燥器などを用いるのが好ましい。また、形成したフィルム層の上部に透明樹脂よりなる保護層を設けると表示画面の耐久性を向上させることができるので、保護層を設けるのが好ましい。なお、着色時の反射濃度は、バインダー量に対するフォトクロミック化合物量の比率およびフィルム層の厚さにより変化させることができ、ここでは、バインダー量に対するフォトクロミック材料の比率を２８重量パーセントとし、基板上のフィルム層の膜厚を２３μｍとした。
【００４６】
上記のようにして作製した表示画面における消色光量と温度との関係を図２に示す。消色光量としては、蛍光ブラックライトによりピーク波長３６５ｎｍの光を照射して、表示画面を吸収ピーク波長における反射濃度が１．０となるように着色した後、超高圧水銀ランプを光源として、光学フィルターを通してピーク波長５８０ｎｍの可視光を照射し、反射濃度を０．１まで減少させるのに要した光量を測定した。
【００４７】
図２においては、表示画面の温度が高くなると消色光量が減少しており、このことより、表示画面を加熱する加熱手段を設けて、画像もしくは文字情報の書き込みおよび消去の際に、着色された表示画面を前記加熱手段により昇温した状態で消色光を照射するようにすれば、消色光の照射時間を短縮できることがわかる。また、同図より、消色光を照射するときの表示画面温度が５０℃以上であれば、十分な効果が得られることがわかる。
【００４８】
次に、表示装置１の第１実施形態を図３に基づき説明する。
この実施例の表示装置１においては、表示画面２はシート状であり、スクリーン方式の表示画面を構成し、表示画面送り機構７により移動可能にしている。図中の矢印は表示画面２の移動方向を示すものである。表示画面送り機構７は、表示画面送り機構７を回転させるための表示画面送り機構駆動部８を介して、ＣＰＵおよびメモリを内蔵する情報表示制御部９に接続されている。
【００４９】
１０は表示画面２を着色させるための着色用光源ユニットであり、ライン状の光源を構成している。着色用光源ユニット１０の光源としては、蛍光ブラックライト、超高圧水銀ランプ、キセノンランプなど、紫外領域に強い発光スペクトルを有するものを用い、光学フィルターにより、可視光領域以上の波長をカットして用いる。着色用光源ユニット１０は、その長手方向を表示画面２の移動方向と垂直にする形で水平方向に配置され、光源の点滅を行うための着色用光源駆動部１１を介し情報表示制御部９に接続されている。
【００５０】
１２は表示画面２を消色させるための消色用光源ユニットであり、可視光領域の光を発するドット状の発光部が、長手方向に配列した構成とする。ここで、ドット状の発光部を構成する手段としては、（イ）可視発光するＬＥＤを用いる方法（以下、ＬＥＤ方式と呼ぶ）や、（ロ）ハロゲンランプや、光学フィルターにより紫外光をカットした超高圧水銀ランプ、キセノンランプなどによりライン状の光源を構成し、ドット状のセルを形成した液晶素子より構成された光シャッターアレイにより前記ライン状光源からの光を分割してそれらの光の透過、遮断を行う方法（以下、光シャッターアレイ方式と呼ぶ）などがある。消色用光源ユニット１２は、着色用光源ユニット１０の上部に着色用光源ユニット１０と同様にその長手方向を表示画面２の移動方向と垂直にする形で水平方向に配置され、各ドット状発光部の点滅を行うための消色用光源駆動部１３を介し情報表示制御部９に接続されている。消色用光源駆動部１３は、ＬＥＤ方式の場合は各ＬＥＤの点滅を、また、光シャッターアレイ方式の場合には光源の点滅および光シャッターアレイの制御を行う。情報表示制御部９は、さらに、キーパネル３、インターフェイス部４と接続されている。
【００５１】
１４は表示画面を加熱するためのライン状の発熱体である。ここで、ライン状の発熱体を構成する手段としては、サーマルヘッド、ヒートローラーなどがあげられる。発熱体１４は、着色用光源ユニット１０と消色用光源ユニット１２の間の、消色用光源ユニット１２に近接した位置に、着色用光源ユニット１０および消色用光源ユニット１２と同様にその長手方向を表示画面２の移動方向と垂直にする形で水平方向に配置され、発熱体のオン、オフを制御するための発熱体駆動部１５を介し情報表示制御部９に接続されている。
【００５２】
次に、動作について説明する。まず、キーパネル３内の書き込みキーを押すことにより、インターフェイス部４に接続されたスキャナーもしくはパソコンから、画像もしくは文字情報のデータを情報表示制御部９内のメモリーに取り込む。続いて、情報表示制御部９のＣＰＵにより、表示画面送り機構駆動部８と着色用光源駆動部１１、消色用光源駆動部１３、発熱体駆動部１５を同期させることにより、スキャナーもしくはパソコンから取り込んだ画像もしくは文字情報を表示画面２に表示する。
【００５３】
この様子を図４を用いて説明する。まず、着色用光源ユニット１０中の光源が点灯されると同時に、表示画面送り機構７により表示画面２が移動され、これにより、表示画面２の、着色用光源ユニット１０により走査された部分が着色される。続いて、表示画面２の着色された部分は、発熱体１４により走査されて昇温された後、消色用光源ユニット１２により走査される。このとき、発熱体１４により走査された表示画面２は、引き続いて消色用光源ユニット１２により走査されるときの温度が５０℃未満に低下しないように十分高い温度まで昇温される。また、消色用光源ユニット１２により表示画面２が走査される際には、一定距離間隔毎に、情報表示制御部９に取り込まれた画像もしくは文字情報のイメージに基づき、消色用光源ユニット１２の各ドット状発光部の点灯、非点灯が制御され、表示画面２の、表示すべき画像もしくは文字に対応する部分以外が選択的に消色される。このようにして、表示画面２上に、スキャナーもしくはパソコンから取り込まれた画像もしくは文字情報が書き込まれる。
【００５４】
そして、キーパネル３内の消去キーが押されると、着色用光源ユニット１０の光源は消灯した状態、消色用光源ユニット１２の各ドット状発光部は点灯した状態で、表示画面送り機構７により表示画面２が移動され、画像もしくは文字情報の書き込まれた表示画面２は、書き込み時と同様に、発熱体１４により走査されて昇温された後、消色用光源ユニット１２により走査される。このことにより、表示画面２の着色部分が消色され、画像もしくは文字情報が表示画面２より消去される。
【００５５】
図５は、表示装置の第２実施形態を示す。
ここで、２は表示画面、７は表示画面送り機構、１０は着色用光源ユニット、１２は消色用光源ユニット、１４は発熱体であり、それぞれの構成は第１実施形態と同様であるが、発熱体１４を第１実施形態のように表示画面の表側、すなわち着色用光源ユニット１０および消色用光源ユニット１２と同じ側に配置するのではなく、発熱体１４を表示画面２の裏側の、消色用光源ユニット１２に対向する位置に配置している。
【００５６】
次に動作について説明する。画像もしくは文字情報が書き込まれる場合には、まず、着色用光源ユニット１０中の光源が点灯すると同時に、表示画面送り機構７により表示画面２が移動し、表示画面２の、着色用光源ユニット１０により走査された部分が着色する。続いて、表示画面２の着色された部分は、発熱体１４と消色用光源ユニット１２の間を通過する。このとき、表示画面２は発熱体１４により背面より加熱され、表面温度が５０℃以上に昇温した状態で、消色用光源ユニット１２により消色光が照射される。また、第１実施形態と同様に、一定距離間隔毎に、情報表示制御部９に取り込まれた画像もしくは文字情報のイメージに基づき、消色用光源ユニット１２の各ドット状発光部の点灯、非点灯が制御され、表示画面２の、表示すべき画像もしくは文字に対応する部分以外が選択的に消色される。このようにして、表示画面２上に、スキャナーもしくはパソコンから取り込まれた画像もしくは文字情報が書き込まれる。
【００５７】
そして、画像もしくは文字情報が消去される場合には、着色用光源ユニット１０は消灯した状態、消色用光源ユニット１２の各ドット状発光部は点灯した状態で、表示画面送り機構７により表示画面２が移動し、画像もしくは文字情報の書き込まれた表示画面２は、書き込み時と同様に、発熱体１４と消色用光源ユニット１２の間を通過するときに、発熱体１４により背面より加熱され、表面温度が５０℃以上に昇温した状態で、消色用光源ユニット１２により消色光が照射される。このことにより、表示画面２の着色部分が消色され、画像もしくは文字情報が表示画面２より消去される。
【００５８】
図６は、表示装置の第３実施形態を示す。
この実施例の表示装置１においては、第１実施形態および第２実施形態と異なり、表示画面２はボード状に固定されている。表示画面２の前面に配置された着色用光源ユニット１０、消色用光源ユニット１２、発熱体１４は、送り用レール１６により両端を支持され、それぞれに内蔵された移動手段により送り用レール１６上を左右に移動可能にしている。
【００５９】
着色用光源ユニット１０は、前記移動手段を内蔵している点を除き、その構成は第１実施形態と同様であり、光源の点滅を行うための着色用光源駆動部１１および移動手段を駆動するための着色用光源移動手段駆動部１７を介して、ＣＰＵおよびメモリを内蔵する情報表示制御部９に接続されている。
【００６０】
消色用光源ユニット１２は、前記移動手段を内蔵している点を除き、その構成は第１実施形態と同様であり、ドット状の発光部を構成しており、各ドット状発光部の点滅を行うための消色用光源駆動部１３および移動手段を駆動するための消色用光源移動手段駆動部１８を介して、情報表示制御部９に接続されている。
【００６１】
発熱体１４は、前記移動手段を内蔵している点を除き、その構成は第１実施形態と同様であり、発熱体のオン、オフを制御するための発熱体駆動部１５および移動手段を駆動するための発熱体移動手段駆動部１９を介して、情報表示制御部９に接続されている。情報表示制御部９は、さらに、キーパネル３、インターフェイス部４と接続されている。
【００６２】
次に、動作について説明する。まず、キーパネル３内の書き込みキーが押されると、インターフェイス部４に接続されたスキャナーもしくはパソコンから、画像もしくは文字情報のデータが情報表示制御部９内のメモリーに取り込まれる。続いて、情報表示制御部９のＣＰＵにより、着色用光源駆動部１１と着色用光源移動手段駆動部１７および、消色用光源駆動部１３と消色用光源移動手段駆動部１８および、発熱体駆動部１５と発熱体移動手段駆動部１９が同期され、スキャナーもしくはパソコンから取り込まれた画像もしくは文字情報が表示画面２に表示される。
【００６３】
この様子を図７を用いて説明する。図中の矢印は、着色用光源ユニット１０、消色用光源ユニット１２、発熱体１４の移動方向を示すものである。まず、キーパネル３中の書き込みキーが押されると、着色用光源ユニット１０中の光源が点灯すると同時に、着色用光源ユニット１０に内蔵された移動手段により着色用光源ユニット１０が移動し、表示画面２を走査することにより、表示画面２の、着色用光源ユニット１０により走査された部分が着色する。続いて、発熱体１４および消色用光源ユニット１２が移動し、表示画面２の着色された部分は、発熱体１４により走査され昇温された後、引き続いて消色用光源ユニット１２により走査される。ここで、発熱体１４により走査されたときの表示画面２は、ひき続いて消色用光源ユニット１２により走査されるときの温度が５０℃未満に低下してしまわないように十分高い温度まで昇温されている。また一定距離間隔毎に、情報表示制御部９に取り込まれた画像もしくは文字情報のイメージに基づき、配列した各ドット状発光部の点灯、非点灯が制御され、着色された表示画面の、表示すべき画像もしくは文字情報に対応する部分以外が選択的に消色される。このようにして、表示画面２上に、スキャナーもしくはパソコンから取り込まれた画像もしくは文字情報が表示される。
【００６４】
そして、キーパネル３内の消去キーが押されると、着色用光源ユニット１０の光源は消灯した状態、消色用光源ユニット１２の各ドット状発光部は点灯した状態で、着色用光源ユニット１０、加熱手段１４、消色用光源ユニット１２が移動し、画像もしくは文字情報の書き込まれた表示画面２は、書き込み時と同様に、加熱手段１４により走査されて昇温された後、引き続いて消色用光源ユニット１２により走査される。このことにより、表示画面２の着色部分が消色され、画像もしくは文字情報が表示画面２より消去される。
【００６５】
図８は、表示装置１の第４実施形態を示す。
ここで、２は表示画面、１０は着色用光源ユニット、１２は消色用光源ユニット、１４は発熱体、１６は送り用レールであり、それぞれの構成は第３実施形態と同様であるが、発熱体１４を第３実施形態のように表示画面２の表側、すなわち着色用光源ユニット１０および消色用光源ユニット１２と同じ側に配置するのではなく、表示画面２の裏側の、消色用光源ユニット１２に対向する位置に配置している。
【００６６】
次に動作について説明する。画像もしくは文字情報が書き込まれる場合には、まず、第３実施形態と同様に、着色用光源ユニット１０中の光源が点灯すると同時に、着色用光源ユニット１０に内蔵された移動手段により着色用光源ユニット１０が移動し、表示画面２を走査することにより、表示画面２の、着色用光源ユニット１０により走査された部分が着色する。続いて、発熱体１４および消色用光源ユニット１２が移動し、表示画面２の着色された部分が、発熱体１４と消色用光源ユニット１２の間を通過する形となる。このとき、表示画面２は発熱体１４により背面より加熱され、表面温度が５０℃以上に昇温した状態で、消色用光源ユニット１２により消色光が照射される。また、第３実施形態と同様に、一定距離間隔毎に、情報表示制御部９に取り込まれた画像もしくは文字情報のイメージに基づき、消色用光源ユニット１２の各ドット状発光部の点灯、非点灯が制御され、表示画面２の、表示すべき画像もしくは文字に対応する部分以外が選択的に消色される。このようにして、表示画面２上に、スキャナーもしくはパソコンから取り込まれた画像もしくは文字情報が書き込まれる。
【００６７】
そして、画像もしくは文字情報が消去される場合には、着色用光源ユニット１０の光源は消灯した状態、消色用光源ユニット１２の各ドット状発光部は点灯した状態で、着色用光源ユニット１０、発熱体１４、消色用光源ユニット１２が移動し、画像もしくは文字情報の書き込まれた表示画面２は、書き込み時と同様に、発熱体１４により背面より加熱され、表面温度が５０℃以上に昇温した状態で、消色用光源ユニット１２により消色光が照射される。このことにより、表示画面の着色部分が消色され、画像もしくは文字情報が表示画面２より消去される。
【００６８】
以上のような構成を有する各表示装置によれば、画像もしくは文字情報の書き込みおよび消去時に表示画面を５０℃以上に昇温させた状態で消色光を照射することにより、表示画面を昇温しない従来の方式に比べ、消色光を照射する時間すなわち消色用光源により表示画面を走査する時間を２分の１以下とすることができる。
【００６９】
【発明の効果】
以上詳細に説明したように、本発明による表示装置においては、表示画面を昇温させた状態で消色光を照射することによって、表示画面を消色させるのに必要な光量を低減することができ、消色光の照射時間を短縮することができる。したがって、より短時間で、画像もしくは文字情報の書き込み、消去が行える。
【図面の簡単な説明】
【図１】本発明の表示装置の基本的構成を示した模式図
【図２】表示装置を構成する表示画面における消色光量と温度との関係を示したグラフ
【図３】本発明の表示装置の第１実施形態を示した模式図
【図４】図３の表示装置の動作を示した説明図
【図５】本発明の表示装置の第２実施形態を示した模式図
【図６】本発明の表示装置の第３実施形態を示した模式図
【図７】図６の表示装置の動作を示した説明図
【図８】本発明の表示装置の第４実施形態を示した模式図
【符号の説明】
１    表示装置
２    表示画面
４    インターフェイス部
７    表示画面送り機構
８    表示画面送り機構駆動部
９    情報表示制御部
１０    着色用光源ユニット
１１    着色用光源駆動部
１２    消色用光源ユニット
１３    消色用光源駆動部
１４    発熱体
１５    発熱体駆動部
１６    送り用レール
１７    着色用光源移動手段駆動部
１８    消色用光源移動手段駆動部
１９    発熱体移動手段駆動部
【図１】
0003599439.tif 000024
【図２】
0003599439.tif 000025
【図３】
0003599439.tif 000026
【図４】
0003599439.tif 000027
【図５】
0003599439.tif 000028
【図６】
0003599439.tif 000029
【図７】
0003599439.tif 000030
【図８】
0003599439.tif 000031